(57)【要約】【課題】土砂崩れの現場や地盤が軟弱化した地域等で、迅速な土留めが可能であり、且つ、構造が簡易で取扱いが容易な土留め構造体を提供する。【解決手段】矩形状の枠体を構成する複数の側板１１と、側板との交線が枠体の上下方向に延びる中仕切り板１２、１３とを有し、枠体の上面及び下面と平行な構造材を有しない枠状ブロック１０と、枠状ブロックが配置される地盤に植設され、地盤から突出した部分が枠体の空間内に延びて枠状ブロックの位置を規制する杭２０とを備える。地盤に杭２０を打ち込み、この杭の突出部分が枠体の空間内に位置するように枠状ブロック１０を地盤に設置し、枠体の空間に土砂を詰め、枠状ブロック後方の傾斜地に土砂を堆積する。簡単な構造で取扱いが容易であり、どのような土砂災害の現場にも持ち込むことができ、軟弱化した現場の土留めを効果的に行うことができる。【選択図】図１
0003164755.tif 000002
【実用新案登録請求の範囲】
【請求項１】
矩形状の枠体を構成する複数の側板と、前記側板との交線が前記枠体の上下方向に延びる中仕切り板と、を有し、前記枠体の上面及び下面と平行な構造材を有しない枠状ブロックと、
前記枠状ブロックが配置される地盤に植設され、地盤から突出した部分が前記枠体の空間内に延びて前記枠状ブロックの位置を規制する杭と、
を備え、
前記杭により位置が規制された前記枠状ブロックの前記枠体の空間内に土砂が充填されて、前記枠状ブロックが地盤に対して固定されることを特徴とする土留め構造体。
【請求項２】
請求項１に記載の土留め構造体であって、地盤に対して固定された前記枠状ブロックの前記側板が、当該側板の外側に堆積した土砂の流動を抑えることを特徴とする土留め構造体。
【請求項３】
請求項１または２に記載の土留め構造体であって、地盤に対して固定された前記枠状ブロックの上に一部が重なるように、次段の前記枠状ブロックの位置が前記杭によって規制され、当該枠状ブロックの前記枠体の空間内に土砂が充填されて、当該枠状ブロックが地盤に対して固定されることを特徴とする土留め構造体。
【請求項４】
請求項１から３のいずれかに記載の土留め構造体であって、前記枠状ブロックが金属板から成ることを特徴とする土留め構造体。
【請求項５】
請求項１から３のいずれかに記載の土留め構造体であって、前記枠状ブロックがプレキャストコンクリートから成ることを特徴とする土留め構造体。
【考案の詳細な説明】
【技術分野】
【０００１】
本考案は、土砂崩れの発生現場や軟弱地盤等で用いられる土留め用の構造体に関し、簡易な構成で迅速な土留めを可能にしたものである。
【背景技術】
【０００２】
従来から、我が国では、雨や湧水で軟弱化した傾斜地の土砂が崩落する土砂災害が、各所で発生している。こうした災害現場では、金網の籠に小石を詰めたフトン籠などを用いて復旧作業が行われている。
また、下記特許文献１には、底面と筒状の側面とを有するコンクリート製ブロックを軟弱地盤の土留めに用いることが提案されている。
【先行技術文献】
【特許文献】
【０００３】
【特許文献１】特開平６−１０３６６号公報
【考案の概要】
【考案が解決しようとする課題】
【０００４】
しかし、フトン籠を用いる工法は、完成までの工期が長く、土砂災害現場の迅速な復旧が期待できない。また、この工法の実施には、熟練者が必要であり、人員の確保が難しい。
また、コンクリート製ブロックは、重量が嵩むためにクレーンなどの重機の使用が欠かせないが、土砂災害の発生地域は、重機の入り込めない場所や、重機を据え付けるまでに多くの時間が掛かる場所であることが少なくない。コンクリート製ブロックを用いる工法は、これらの地域での緊急的な対応に向いていない。
【０００５】
本考案は、こうした事情を考慮して創案したものであり、土砂崩れの現場や地盤が軟弱化した地域などで、迅速な土留めが可能であり、且つ、構造が簡易で、取扱いが容易な土留め構造体を提供することを目的としている。
【課題を解決するための手段】
【０００６】
本考案の土留め構造体は、矩形状の枠体を構成する複数の側板と、側板との交線が枠体の上下方向に延びる中仕切り板と、を有し、枠体の上面及び下面と平行な構造材を有しない枠状ブロックと、枠状ブロックが配置される地盤に植設され、地盤から突出した部分が枠体の空間内に延びて枠状ブロックの位置を規制する杭と、を備え、杭で位置を規制した枠状ブロックの枠体の空間内に土砂を充填して、枠状ブロックを地盤に固定することを特徴とする。
この土留め構造体を地盤に固定するときは、地盤に杭を打ち込み、この杭の突出部分が枠体の空間内に位置するように枠状ブロックを地盤に設置し、次いで、枠体の空間に土砂を詰める。
【０００７】
また、本考案の土留め構造体では、地盤に固定した枠状ブロックの側板で、その側板の外側に堆積した土砂の流動を抑える。
この土留め構造体で土留めを行うときは、地盤に固定した枠状ブロックの後方傾斜地に土砂を堆積させる。堆積した土砂は、枠状ブロックの側板で抑えられて流動しない。また、枠状ブロックも、堆積した土砂により、地盤に対して強固に固定される。
【０００８】
また、本考案の土留め構造体では、地盤に固定した枠状ブロックの上に一部が重なるように、次段の枠状ブロックの位置を杭で規制し、この枠状ブロックの枠体の空間内に土砂を充填して、その枠状ブロックを地盤に固定する。
こうして、枠状ブロックを斜面に沿って多段に積み重ねて、土砂崩れ（斜面崩壊）を抑える。
【０００９】
また、本考案の土留め構造体の枠状ブロックは、鉄板などの金属板で構成することができる。
【００１０】
また、本考案の土留め構造体の枠状ブロックは、工場で予め製造されたコンクリート成形品（プレキャストコンクリート）を現場で組み立てて構成するようにしても良い。
【考案の効果】
【００１１】
本考案の土留め構造体は、簡単な構造で取扱いが容易であり、どのような土砂災害の現場にも持ち込むことができる。また、地盤に打ち込んだ杭で枠状ブロックの位置を規制し、この枠状ブロックの空間に土砂を詰め込んでいるため、軟弱化した現場の土留めを効果的に行うことができる。
【図面の簡単な説明】
【００１２】
【図１】本考案の実施形態に係る土留め構造体の枠状ブロック（ａ）（ｃ）及び杭（ｂ）を示す図
【図２】図１の杭を地盤に打ち込んだ状態を示す図
【図３】図１の枠状ブロックを地盤に配置した状態を示す図
【図４】枠状ブロックと杭との位置関係を示す図
【図５】枠状ブロックに土砂を充填する状態を示す図
【図６】枠状ブロックに土砂が充填された状態を示す図
【図７】枠状ブロックの後方傾斜地に土砂を堆積させた状態を示す図
【図８】図７の平面図
【図９】枠状ブロックを二段に重ねた状態を示す図
【図１０】枠状ブロックを多段に重ねた土留め形態を示す図
【図１１】枠状ブロックを勾配が急な傾斜地に多段に重ねた形態を示す図
【図１２】枠状ブロックを勾配がさらに急な傾斜地に多段に重ねた形態を示す図
【考案を実施するための形態】
【００１３】
図１には、本考案の土留め構造体を構成する枠状ブロック１０及び杭２０の実施形態を示している。
枠状ブロック１０は、図１（ａ）または図１（ｃ）に示すように、矩形状の枠体を構成する側板１１と、枠体内に配置された中仕切り板１２、１３とを有している。側板１１及び中仕切り板１２、１３は、鉄板から成り、溶接されて図１（ａ）や図１（ｃ）の形状を保っている。
【００１４】
図１（ａ）の枠状ブロック１０では、中仕切り板１２が、側板１１で構成される矩形状の枠体の中に、田の字を形成するように配置されている。中仕切り板１２は、側板１１との交線位置で側板１１に溶接されており、この交線は、枠体の上下方向に延びる直線である。
図１（ａ）の枠状ブロック１０は、この側板１１及び中仕切り板１２のみから成り、枠体の上面や下面を塞ぐ板は勿論のこと、上面や下面に平行する板の類は、一切有していない。そのため、側板１１及び中仕切り板１２で区画される空間の上面及び下面は、開放されている。
【００１５】
図１（ｃ）の枠状ブロック１０では、中仕切り板１３が、側板１１で構成される矩形状の枠体の中に、菱形を形成するように配置されている。図１（ｃ）の枠状ブロック１０も、側板１１及び中仕切り板１３のみから成り、図１（ａ）の枠状ブロックと同様に、側板１１と中仕切り板１３との交線位置で溶接され、その交線が枠体の上下方向に延びている。また、枠体の上面や下面を塞ぐ板は勿論、上面や下面に平行する板の類は、一切有していない。
図１（ｂ）に示す杭２０は、鉄製であり、側板１１の幅（上下方向の幅）の２倍以上の長さを有している。ここでは、１つの枠状ブロック１０に２本の杭２０を割り当てているが、使用する杭２０の本数は任意である。
【００１６】
この枠状ブロック１０及び杭２０を用いて、次のような手順で傾斜地の土留めを実行する。
図２に示すように、傾斜地の地盤に杭２０を打ち込む。このとき、地盤からの杭２０の突出長さが、枠状ブロック１０の側板１１の幅程度になるように打ち込む。
次に、図３に示すように、地盤から突出する杭２０が枠状ブロック１０の枠体内の空間に入るように、枠状ブロック１０を地盤に配置する。図４は、杭２０と枠状ブロック１０との位置関係を示している。枠状ブロック１０は、図４（ａ）に示すように、杭２０が側板１１近くに位置するように配置しても良いし、図４（ｂ）に示すように、杭２０が中仕切り板１３近くに位置するように配置しても良い。
【００１７】
次に、図５、図６に示すように、枠状ブロック１０の空間に土砂を充填する。この土砂の充填により、枠状ブロック１０は、地盤に対して固定される。
次に、図７に示すように、枠状ブロック１０の後方の傾斜地に土砂４０を堆積させる。堆積した土砂４０は、枠状ブロック１０の存在により斜面を滑り落ちない。また、この土砂４０の堆積により、枠状ブロック１０は、さらに強固に地盤に対して固定される。
図８に示す平面図は、並べて配置した複数の枠状ブロック１０で、堆積した土砂４０の滑り（流動）を抑えている状態を示している。
【００１８】
次に、図９に示すように、次段の枠状ブロック１０１の位置を規制する杭２０１を地盤に打ち込み、地盤に固定した枠状ブロック１０の上に一部が重なるように、次段の枠状ブロック１０１を配置する。そして、この枠状ブロック１０１の枠体の空間内に土砂を充填して、枠状ブロック１０１を地盤に固定し、枠状ブロック１０１の後方の傾斜面に土砂４１を堆積させる。
このように、枠状ブロック１０１を下層の枠状ブロック１０からずらしながら、下層の枠状ブロック１０の上に重ね、重ねた枠状ブロック１０１の後方の傾斜地に土砂を堆積する作業を繰り返すことで、図１０に示すように、傾斜地の土留めが完成する。
【００１９】
この土留め構造体では、枠状ブロックが、上面及び下面と平行する構造材を一切持たないため、図１１に示すように、重ねた枠状ブロックの位置を規制するための杭を、下層の枠状ブロックの土砂が充填された空間を通して地盤に打ち込むことができる。
また、図１２は、最下層の枠状ブロックの土砂が充填された空間に、その上の層だけでなく、さらにその上の層の枠状ブロックの位置を規制する杭を通した場合を示している。
【００２０】
このように、この土留め構造体は、枠状ブロックが上面及び下面と平行する構造材を持たず、また、枠状ブロックの位置決めを、打ち込んだ杭によって行っているため、枠状ブロックを重ね合わせるときの“重ね合わせ量“や“重ね合わせ位置”の自由度が高い。従って、どのような勾配の傾斜地にも対応することができる。
また、枠状ブロックの搬入や、杭の打ち込み、土砂の枠状ブロックへの充填、枠状ブロック後方への土砂の堆積などは、人手でも実施でき、熟練を要しないため、重機の搬入に手間取るような土砂災害現場でも、迅速に対応することができる。
なお、ここで示した中仕切り板や杭の形状は、一例であって、本考案は、それに限定されるものではない。
また、ここでは枠状ブロックを鉄板で構成する場合について説明したが、他の金属で枠状ブロックを形成しても良い。また、工場で予め製造されたコンクリート成形品（プレキャストコンクリート）を現場で組み立てて枠状ブロックを構成しても良い。
【符号の説明】
【００２１】
１０    枠状ブロック
１１    側板
１２    中仕切り板
１３    中仕切り板
２０    杭
４０    土砂
４１    土砂
１０１  枠状ブロック
２０１  杭
【図１】
0003164755.tif 000003
【図２】
0003164755.tif 000004
【図３】
0003164755.tif 000005
【図４】
0003164755.tif 000006
【図５】
0003164755.tif 000007
【図６】
0003164755.tif 000008
【図７】
0003164755.tif 000009
【図９】
0003164755.tif 000010
【図１０】
0003164755.tif 000011
【図１１】
0003164755.tif 000012
【図１２】
0003164755.tif 000013
【図８】
0003164755.tif 000014